(57)【要約】【課題】  夜釣りの際に魚のアタリを視認するため、あるいは魚を光で寄せて釣るために、釣りの仕掛けに装着して用いる釣用の発光体であって、自ら輝度を調節することができ、また、反復使用が可能である釣用発光体のセットを提供する。【解決手段】  蓄光素材を封入した透明チューブからなる発光体と、光照射装置とを分離して含む、釣用発光体セット。特に蓄光素材が、Ｅｕを主賦活剤とするアルカリ土類金属のアルミン酸塩よりなる蓄光性蛍光体である釣用発光体セット。【選択図】図１
2005168306.tif 000002
【特許請求の範囲】
【請求項１】
蓄光素材を封入した透明チューブからなる発光体と、光照射装置とを分離して含む、釣用発光体セット。
【請求項２】
前記発光体が浮き装着用であることを特徴とする、請求項１に記載の釣用発光体セット。
【請求項３】
前記蓄光素材が、Ｅｕを主賦活剤とするアルカリ土類金属のアルミン酸塩よりなる蓄光性蛍光体であることを特徴とする、請求項１または２に記載の釣用発光体セット。
【発明の詳細な説明】
【技術分野】
【０００１】
本発明は、釣り具に装着して用いる釣用発光体に関する。
【背景技術】
【０００２】
従来より、夜釣りの際に魚のアタリを視認するため、あるいは魚を光で寄せて釣るために、釣りの仕掛けに発光体を装着する漁法が広く行われている。例えば、浮き用の発光体や、ハリス、ルアー等にセットする集魚用発光体などがある。これらは、様々な釣り具に手軽に用いることができるため、広く使用されている。例えば、従来技術として特許文献１の化学発光具がある。
【０００３】
特許文献１の化学発光具は、可撓性を有する容器の中に、略円筒状の合成樹脂製アンプルを入れ、同アンプルの表面に円周にそって１ヶ所又は2ヶ所以上に溝を設け、且つアンプル内には混合することによって化学発光を呈する２種類の液体の一方を充填し、アンプルの外側で容器内に他方の液体を封入してなるものである。使用する時は、容器の左右を手で持って曲げると、中のアンプルも曲がり、溝の部分が引っ張り応力により切れ、アンプル内の液が容器内の液と混合し、発光がスタートする。
【０００４】
【特許文献１】特開２００３−７７３０１号公報
【発明の開示】
【発明が解決しようとする課題】
【０００５】
しかしながら、特許文献１の化学発光具は、発光が数時間で消滅し、再使用できない使い捨てタイプのものである。そのため、使用する都度にコストがかかり、社会環境問題となるゴミが発生するという問題がある。さらに、輝度が高すぎると警戒して寄り付かない魚がいるが、利用者が自分で初期輝度を調節することは不可能であるため、魚の種類によっては、使用の約１〜２時間前から発光させ輝度を低下させなければならないという問題がある。
【課題を解決するための手段】
【０００６】
本発明者は、蓄光素材を封入した透明チューブからなる発光体と、光照射装置とを分離して含む、釣用発光体セットを発明することにより、上記課題を解決した。
【０００７】
当該発光体に光を照射すれば、透明チューブ内に封入された蓄光素材が光エネルギーを吸収し、蓄えたエネルギーを可視光線に変換して発光する。光の照射量により輝度を調節できるため、従来の化学発光具と異なり、自分で所望の輝度に調節することが可能である。また、反復使用できるため経済的であり、使用の都度ゴミが生じることもない。
【０００８】
前記蓄光素材は、Ｅｕを主賦活剤とするアルカリ土類金属のアルミン酸塩よりなる蓄光性蛍光体であることが好ましい。かかる蓄光性蛍光体は、発光輝度が強く、発光時間も長い。また、時間の経過に伴う減退も比較的緩慢である。さらに放射性物質を含有していないため、人体に対して安全である。
【発明の効果】
【０００９】
本発明の釣用発光体セットは、光の照射量により発光体の輝度を調節できる。また、反復して使用することができるため、使用の都度ゴミが生じることもない。
【発明を実施するための最良の形態】
【００１０】
以下、添付図面に示す実施例に基づき、本発明の釣用発光体セットの実施の形態を詳細に説明するが、これにより本発明の技術的範囲が限定されるものではない。
【００１１】
図１は、本発明の釣用発光体セットの一実施例を示す図である。１は発光体であって、透明チューブ２の中に蓄光素材３が封入されている。４は光照射装置である。本実施例においては、光照射装置４として、主に３９５nm〜４００nmの波長の光を照射するＬＥＤを備えた装置を用いた。本実施例の光照射装置４は、スイッチ５を押すと紫色の光が視認できる。さらに、この実施例の釣用発光体セットには、発光体１を浮きの先端に取り付けるためのビニール管６が含まれている。
【００１２】
使用時には、光照射装置４を用いて、発光体１に光を照射する。透明チューブ２に封入された蓄光素材３が、受けた光エネルギーを可視光線に変換し発光し始める。光の照射量により輝度を調節できるため、輝度を確認しながら、所望の輝度まで光を照射する。その後、ビニール管６を利用して、図２に示すように、浮き７の先端８に、発光体１を取り付ければよい。
【００１３】
本発明の蓄光素材とは、光エネルギーを受け、吸収し蓄えたエネルギーを可視光線に変換し発光する能力を有する素材である。本発明の蓄光素材は、このような能力を有する素材であればよく、既知の蓄光粉や市販されている蓄光材等を用いることができる。発光輝度が強く、発光時間が長いものであって、時間の経過に伴う発光の減退がゆるやかであるものが好ましい。適切な蓄光素材を用いれば、５分以内の照射時間で、３時間以上十分な輝度で発光する発光体を形成することができる。このような適切な蓄光素材としては、Ｅｕを主賦活剤とするアルカリ土類金属のアルミン酸塩よりなる蓄光性蛍光体などを挙げることができ、具体的には、エルティーアイ株式会社の蓄光性機能セラミックＰＧ[化学式(Sr,Eu,Dy)O-(Al),Oで示されるもの］、あるいは同社の蓄光テープであるα-FLASH 009等が好適である。当該蓄光素材は、担体等の他の適当な物質と共に透明チューブに封入されてもよく、また、その形態は特に限定されない。例えば、粉状または液状の形態で透明チューブに封入されてもよく、あるいは蓄光テープ等のようにシート状の形態で封入されてもよい。
【００１４】
また、釣りに際して最適な発光カラーは、対照とする魚、釣りをする時間帯、天気、水深等、様々な条件によって異なるが、本発明の発光体の発光カラーは、当業者に公知の物質・公知の手段により調節できる。具体的には、蓄光素材自体によって、または粒径によって、あるいはチューブの色などによって調整することができる。
【００１５】
本発明の透明チューブは、上記蓄光素材が光エネルギーを吸収するのを妨げないよう、平行光線透過率が、７０％以上のもの、好ましくは８０％以上、さらに好ましくは８５％以上のものがよい（JIS K 7105）。また、本発明の透明チューブは、無色透明のものに限定されない。すなわち、上記発光体がその機能を発揮できる程度に、蓄光素材が当該チューブを通して光エネルギーを蓄えることができ、その発光が当該チューブを通して認められるものであれば、有色透明、半透明のチューブであってもよい。また、破損しにくく、仮に破損した場合にも怪我を負う危険性の少ない材質で構成されることが好ましい。好適なチューブは合成樹脂製のものである。合成樹脂としては、例えばポリプロピレン、ポリエチレン等を挙げることができるが、これに限定されない。
【００１６】
本発明の発光体は、前記蓄光素材を前記透明チューブに封入したものであって、集魚、あるいはアタリを視認するために、釣り具に装着して用いられるものである。発光体の形状は、一般に棒状であるがこれに限定されず、装着する釣り具や使用目的等に合わせて、好適な形状に形成することができる。発光体の長さ・太さも同様であり、目的とする魚の種類等に合わせ、好適な大きさに形成すればよい。
【００１７】
本発明の発光体では、蓄光素材以外の物質が透明チューブに封入されていてもよい。封入物中の蓄光素材の割合は、用いる蓄光素材の発光輝度・発光時間等によっても異なり、所望の輝度を得るのに必要な割合で含まれればよい。例えば、上記エルティーアイ株式会社の蓄光性機能セラミックＰＧの場合は、好ましい含有量は１５重量％以上であり、より好ましくは３０重量％以上、さらに好ましくは４０重量％以上である。上記蓄光素材以外の物質としては、蓄光素材の蓄光および発光を妨げないものであればよく、例えば、色の調節を行うための適当な顔料等を挙げることができる。
【００１８】
蓄光素材を透明チューブに封入する方法は、当業者に既知の方法を用いることができる。例えば筒状に成型したチューブに蓄光素材を充填し、その後密封する等の適当な方法を用いればよい。
【００１９】
本発明の発光体は、様々な釣り具に装着して用いることが可能である。例えば、魚を寄せるために、ハリス部、コマセカゴ、ルアー本体、リーダー等に装着して用いることができ、あるいは集魚効果の他に魚のアタリを確認する目的で、各種の浮きに取り付けて用いることができる。装着する方法は、当業者に公知の方法を用いることができ、例えば釣り具が浮きの場合には、ビニール管などを用いて浮きの先端に取り付けることができる。
【００２０】
本発明の光照射装置として、青色LEDランプ、蛍光灯、ブラックライトなどを挙げることができる。用いる蓄光素材に吸収され易い波長の光を照射する装置であればよく、例えば波長が３００〜５００nmの光を照射する装置である。通常の蓄光素材では、波長が３５０〜４５０nmの光がよく吸収されるため、この波長の光を照射する装置が好ましく、より好ましくは３６５nm〜４２５nmの光を照射する装置、さらに好ましくは３８０nm〜４１０nmの光を照射する装置、特に好ましくは３９５nm〜４００nmの光を照射する装置である。また、光照射装置として紫外線（４００nm以下の光）を照射する装置を用いる場合、蓄光素材を短時間内に所望の輝度で発光させるためには、紫外線強度が３００以上のものが特に好ましい。より好ましい紫外線強度は３２０以上であり、さらに好ましくは３５０以上である。電池で駆動することができ、小型のものが、携帯に便利であるため好ましい。
【００２１】
本発明の釣用発光体セットには、上記の発光体と光照射装置の他に、当該発光体を釣り具に装着するための器具等が含まれていてもよい。例えば、当該発光体を浮きの先端に取り付けるためのビニール管などを挙げることができるが、これに限定されない。
【図面の簡単な説明】
【００２２】
【図１】本発明の釣用発光体セットの一実施例を示す正面図である。
【図２】図１の釣用発光体を浮きに装着する方法を示す斜視図である。
【符号の説明】
【００２３】
１  発光体
２  透明チューブ
３  蓄光素材
４  光照射装置
５  スイッチ
６  ビニール管
７  浮き
８  浮きの先端
９  ヨリモドシ
１０  ミチイト
【図１】
2005168306.tif 000003
【図２】
2005168306.tif 000004